(57)【要約】【課題】従来の炊飯機能と製パン機能の両方を兼ね備えた加熱調理器では、炊飯用鍋と製パン用鍋を兼用すると炊き上がったご飯に炊きむらが発生するという課題があった。【解決手段】炊飯機能と製パン機能の両方を兼ね備えた加熱調理器であって、加熱調理器本体１と、加熱調理器本体１の上面開口部を覆う外蓋１７と、加熱調理器本体１内に設けられた金属製の保護枠７と、保護枠７内に着脱自在に収納されると共に被調理物を収納可能であって高さが底面の一辺より長い内鍋６と、内鍋６の下部を加熱する下部加熱手段９と、内鍋の側面の高さ方向中央より下方であって内鍋と前記保護枠の間に配されて内鍋の側面を加熱する側面加熱手段８と、下部加熱手段９と側面加熱手段８を制御する制御手段１２とを備えることにより、炊飯用鍋と製パン用鍋を兼用可能にすると共に炊き上がったご飯に炊きむらが生じないこととなる。【選択図】図１
2014113229.tif 000002
【特許請求の範囲】
【請求項１】
炊飯機能と製パン機能の両方を兼ね備えた加熱調理器であって、
加熱調理器本体と、
前記加熱調理器本体の上面開口部を覆う外蓋と、
前記加熱調理器本体内に設けられた金属製の保護枠と、
前記保護枠内に着脱自在に収納されると共に被調理物を収納可能であって高さが底面の一辺より長い内鍋と、
前記内鍋の下部を加熱する下部加熱手段と、
前記内鍋の側面の高さ方向中央より下方であって前記内鍋と前記保護枠の間に配されて前記内鍋の側面を加熱する側面加熱手段と、
前記下部加熱手段と前記側面加熱手段を制御する制御手段とを備えた加熱調理器。
【請求項２】
前記下部加熱手段は誘導加熱方式、
前記側面加熱手段はシーズヒーターである請求項１に記載の加熱調理器。
【請求項３】
前記制御手段は、炊飯時に前記下部加熱手段と前記側面加熱手段を使用し、
製パン時には前記側面加熱手段を使用する請求項１または２に記載の加熱調理器。
【発明の詳細な説明】
【技術分野】
【０００１】
本発明は一般家庭などで使用する炊飯機能と製パン機能の両方の機能を兼ね備えた加熱調理器に関するものである。
【背景技術】
【０００２】
従来、ご飯を炊飯する炊飯機能とパンを製パンする製パン機能の両方を兼ね備えた加熱調理器として、特許文献１が知られている。
【０００３】
図８は、特許文献１に記載された従来の加熱調理器を示すものである。図８に示すように、加熱調理器は、本体ケース５１と、本体ケース５１の上部の開口を覆う蓋体５４と、本体ケース５１に着脱自在に載置した誘導加熱可能な内釜５５と、この内釜５５の底部を貫通し回転自在に装着した回転軸５９と、内釜５５の底部に当接した温度検出装置６４と、内釜５５の下部であって温度検出装置６４の外側に取り付けられた底容器６３とを有している。内釜５５の上部には、内釜５５の上面開口部を覆い内釜５５を密閉する内蓋５２が配されている。さらに、加熱調理器は、底容器６３の下面部に取り付けられ内釜５５の底面部を誘導加熱する誘導加熱コイル５８と、本体ケース５１内の下方に配置したモーター６５と、内釜５５の内底部に着脱自在に水密的に載置したパンケース５６と、回転軸５９に着脱自在に装着した練り羽根６０とを有するものである。パンケース５６の底部に回転軸５９が貫通してパンケース５６内に突出するとともに、この回転軸５９に練り羽根６０が装着されている。制御部６１は、モーター６５の動作を制御することにより、モーター６５の駆動力を回転軸５９を介して練り羽根６０に伝達し練り羽根６０を回転駆動させる。内釜５５は、米を収納しご飯を炊飯する時に使用し、パンケース５６は、パン材料を収納しパンを製パンする時に使用する。
【先行技術文献】
【特許文献】
【０００４】
【特許文献１】特開２００４−２６１２４７号公報
【発明の概要】
【発明が解決しようとする課題】
【０００５】
しかしながら、上記従来の構成では、パンケース５６と炊飯用の内釜５５が二つあることにより、例えば炊飯時に、本体ケース５１からパンケース５６を外し、パンケース５６を他の場所に置いておく必要が生じ、パンケース５６の収納スペースを確保しなければならないという課題が生じており、お客様にとって使い勝手の悪い仕様であった。そこで、今回パンケース５６と炊飯用の内釜５５を兼用する内鍋一つだけ設けた加熱調理器とすることにより、使い勝手をより向上することを提案した。
【０００６】
しかし、パンケース５６と炊飯用の内釜５５の二つを一つにした内鍋では、炊き上がりのご飯に炊きむらが発生する可能性が生じるという課題を見出した。
【０００７】
本発明は上記の課題を解決するもので、炊飯機能と製パン機能の両方の機能を兼ね備え、使い勝手をより向上し、炊飯後、炊き上がったご飯に炊きむらが生じない加熱調理器を提供することを目的とする。
【課題を解決するための手段】
【０００８】
前記の課題を解決するために、本発明の加熱調理器は、炊飯機能と製パン機能の両方を兼ね備えた加熱調理器であって、加熱調理器本体と、加熱調理器本体の上面開口部を覆う
外蓋と、加熱調理器本体内に設けられた金属製の保護枠と、保護枠内に着脱自在に収納されると共に被調理物を収納可能であって高さが底面の一辺より長い内鍋と、内鍋の下部を加熱する下部加熱手段と、内鍋の側面の高さ方向中央より下方であって内鍋と保護枠の間に配されて内鍋の側面を加熱する側面加熱手段と、下部加熱手段と側面加熱手段を制御する制御手段とを備えたものである。
【０００９】
本発明にかかる加熱調理器によれば、炊飯機能と製パン機能の両方の機能を兼ね備え、使い勝手をより向上し、特に、下部加熱手段と側面加熱手段によって、内鍋の側面の温度を均一加熱することによって、ご飯の加熱むらが解消され、炊き上がったご飯に炊きむらが生じないものである。
【発明の効果】
【００１０】
本発明の加熱調理器は、炊飯機能と製パン機能の両方の機能を兼ね備え、使い勝手をより向上し、炊飯後、炊き上がったご飯に炊きむらが生じないものである。
【図面の簡単な説明】
【００１１】
【図１】本発明の実施の形態１における加熱調理器の炊飯時の構成を示す断面図
【図２】本発明の実施の形態１における加熱調理器の内鍋を説明するための模式図
【図３】本発明の実施の形態１における加熱調理器の炊飯動作を示すフローチャート
【図４】本発明の実施の形態１における加熱調理器の製パン工程を示すフローチャート
【図５】本発明の実施の形態１における加熱調理器の炊飯したご飯をパンにする製パン工程を示すフローチャート
【図６】本発明の実施の形態１における加熱調理器の製パン時の構成を示す断面図
【図７】本発明の実施の形態１における加熱調理器の炊飯工程の特性図
【図８】従来の加熱調理器の構成を示す模式図
【発明を実施するための形態】
【００１２】
第１の発明は、炊飯機能と製パン機能の両方を兼ね備えた加熱調理器であって、加熱調理器本体と、前記加熱調理器本体の上面開口部を覆う外蓋と、前記加熱調理器本体内に設けられた金属製の保護枠と、前記保護枠内に着脱自在に収納されると共に被調理物を収納可能であって高さが底面の一辺より長い内鍋と、前記内鍋の下部を加熱する下部加熱手段と、前記内鍋の側面の高さ方向中央より下方であって前記内鍋と前記保護枠の間に配されて前記内鍋の側面を加熱する側面加熱手段と、前記下部加熱手段と前記側面加熱手段を制御する制御手段とを備えた加熱調理器である。
【００１３】
これによれば、炊飯機能と製パン機能の両方の機能を兼ね備え、使い勝手をより向上し、特に、下部加熱手段と側面加熱手段によって、炊飯時において、内鍋の底面と側面の温度を均一加熱することが出来、内鍋に収納されている米を均一に加熱することとなり、米から均等に水分が蒸発するため、ご飯の加熱むらが解消され、炊き上がったご飯に炊きむらが生じないものである。
【００１４】
第２の発明は、特に第１の発明において、前記下部加熱手段は誘導加熱方式、前記側面加熱手段はシーズヒーターを配した加熱調理器である。
【００１５】
これによれば、炊飯時において、内鍋底面は加熱効率の良い誘導加熱により加熱し、内鍋側面はシーズヒーターによる輻射と対流により加熱することができる。このように誘導加熱方式による誘導加熱とシーズヒーターによる輻射と対流を組み合わせて内鍋全体を包み込むように加熱するオーブン効果により、保護枠内の雰囲気温度を均一に加熱することができ、内鍋の底面と側面の温度を均一加熱することによって、ご飯の加熱むらが解消さ
れ、炊き上がったご飯に炊きむらが生じないものである。
【００１６】
第３の発明は、特に第１または第２の発明において、前記制御手段は、炊飯時に前記下部加熱手段と前記側面加熱手段を使用し、製パン時には前記側面加熱手段を使用する加熱調理器である。
【００１７】
これによれば、炊飯時は、下部加熱手段と側面加熱手段によって、内鍋の底面と側面の温度を均一加熱することによって、ご飯の加熱むらが解消され、炊き上がったご飯に炊きむらが生じないものである。また、製パン時は側面加熱手段により、パン表面を均一に焼くことができる。
【００１８】
以下、本発明の実施の形態について、図面を用いて詳細に説明する。なお、この実施の形態によって本発明が限定されるものではない。
【００１９】
（実施の形態１）
図１は本発明の実施の形態１における加熱調理器の炊飯時の構成を示す断面図である。
【００２０】
図１において、この加熱調理器は炊飯機能と製パン機能の両方を兼ね備えており、加熱調理器本体１と、加熱調理器本体１の上面開口部を覆う外蓋１７と、加熱調理器本体１内に設けられた金属製の保護枠７と、保護枠７内に着脱自在に収納されると共に被調理物を収納可能であって高さが底面の一辺より長い内鍋６と、内鍋６の下部を誘導加熱方式によって誘導加熱する下部加熱手段９と、内鍋６の側面の高さ方向中央より下方であって内鍋６と保護枠７の間に配されて内鍋６の側面を加熱するシーズヒーターで構成された側面加熱手段８と、下部加熱手段９と側面加熱手段８の動作を制御する制御手段１２とを備えている。
【００２１】
内鍋６は誘導加熱可能な構成となっており、内鍋６の底部を貫通し回転自在に装着した軸１１を有し、内鍋６内の被調理物を混練するための混練手段である羽根１０が軸１１に対して着脱自在に装着されている。内鍋６の下方には、内鍋６の底部に当接し保護枠７に配された鍋温度検知手段１９を有している。鍋温度検知手段１９により炊飯時や製パン時の内鍋６の温度を検知し、鍋温度検知手段１９が検知した温度結果により制御手段１２は、最適なシーケンスで炊飯、製パンを行えるようコントロールしている。
【００２２】
加熱調理器本体１内の下方には、モーター２７に連結された小プーリー２４と、小プーリー２４にベルト２６を介して連結された大プーリー２５とを有している。大プーリー２５には、大プーリー２５と同軸に配された軸１１とを有している。
【００２３】
内鍋６を加熱調理器本体１の保護枠７内に設置する際に、従動コネクタ３２と駆動コネクタ３１が嵌合することによって、モーター２７の回転動作が駆動コネクタ３１を介して従動コネクタ３２に伝わって、軸１１を介して内鍋６内の羽根１０を回転させることができる。
【００２４】
制御手段１２によりモーター２７を制御し、小プーリー２４を回転させ、ベルト２６を伝わり、大プーリー２５が回転し、軸１１に伝わり回転することで羽根１０を回転させる。羽根１０により、製パン時材料を捏ねたり、攪拌させることができる。また、今回炊飯時にも、羽根１０があるため、羽根１０を用いて、吸水時回転させることでお米に水を吸水を促したり、炊き上げ時回転させることでお米に熱を均一にかけることができ炊きむらを抑える効果が得られる。
【００２５】
加熱調理器本体１にはダクト２８が接続された冷却手段１８を有し、ダクト２８から排
出される冷却風の通路出口位置には下部加熱手段９と制御手段１２と内鍋６が配されている。冷却手段１８から排出される冷却風がダクト２８を介して、下部加熱手段９と制御手段１２が発熱する際、冷却できるようになっている。また、冷却手段１８により、冷却風がダクト２８を通り、冷却風の流れ２９のように流れ、内鍋６を冷却し、内鍋６内にあるご飯も冷却できるようになっている。そのため、炊飯後、残ったご飯をそのまま用いて製パンをしたい時、ご飯が３０℃以下に下がるまで待つ時間を短縮できる。
【００２６】
加熱調理器本体１の上部には操作部２０と表示部２１を有している。操作部２０により、炊飯や製パンの選択、保温、予約、色々なレシピ選択などすることができ、表示部２１により操作部２０により選択したものを表示できるようになっている。
【００２７】
外蓋１７には、ディスペンサー３とイースト容器２が配置されている。ディスペンサー３はレーズンやナッツなどを入れておき、製パン時の捏ねのタイミングで内鍋６内に落とされるようになっている。また同様にイースト容器２も製パン時の捏ねのタイミングで内鍋６内に落とされるようになっている。
【００２８】
外蓋１７には、外蓋１７に対して着脱自在に配され内鍋６の上面開口部を覆い内鍋６を密閉する内蓋５と、内蓋５と一体に形成されたおねばボックス４が配されている。外蓋１７から内蓋５とおねばボックス４を取り外した時に、外蓋１７の内鍋６の上端部に離間して対向する位置に天面２２が配される。
【００２９】
おねばボックス４は炊飯時に、蒸気やおねばが通り、蒸気とおねばを分けることができ、おねばを内鍋６内に戻し、お米の旨みを逃がさない構成になっている。今回、内蓋５は炊飯時に外蓋１７に着けることで内鍋６が密閉され、炊飯することができる。また、内蓋５は製パン時に、外蓋１７から取り外すことで、側面加熱手段８からの輻射や対流による加熱をパン上部から与えることができ、パン上部もこんがり焼くことができる。また、製パン時に内鍋６の上端部と天面２２との間に空間ができるため、パンの膨むための空間もでき、内鍋６をコンパクト化することができる。また、おねばボックス４と内蓋５は一体とすることにより、取り外しやお手入れに優れた構成となっている。
【００３０】
外蓋１７の内蓋５と対向する天面２２の上部には、内蓋５の温度を検出して内鍋６に収納される被調理物の温度を間接的に検知する蓋温度検知手段２３が配されている。
【００３１】
図２は、本発明の実施の形態１における加熱調理器の内鍋を説明するための模式図である。図２において、製パン用のパンケース１３と炊飯用の鍋１４の二つの両方の機能を兼ね備えた鍋が本発明の実施の形態１における内鍋６である。
【００３２】
図２には内鍋６について説明している。今回、パンケース１３と炊飯用の鍋１４の二つの両方の機能を兼ね備えた鍋が内鍋６である。内鍋６はパンケース１３と炊飯用の鍋１４を兼用するために、内鍋の高さ６ｈが内鍋の底面の一辺６ｌより長い構成となっている。
【００３３】
一般的に、パンケース１３ではパン形状を考慮してパンケース１３底面を小さくし、高さ方向にパンが発酵して伸び、ふわふわの食パンを製パンできるようにしているため、パンケース１３はパンケースの高さ１３ｈがパンケースの底面の一辺１３ｌより長くなっている。また、一般的に、炊飯用の鍋１４は炊飯用の鍋の底面の一辺１４ｌに対し、炊飯用の鍋の高さ１４ｈが長くなると、炊飯用の鍋１４の底面の温度と炊飯用の鍋１４の側面温度とに温度差が生じてしまうため、ご飯にある水分を飛ばす際に、炊きむらが生じてしまう。炊きむらをよくするために、炊飯用の鍋の底面の一辺１４ｌが炊飯用の鍋の高さ１４ｈより長くなっている。
【００３４】
そこで、パンケース１３と炊飯用の鍋１４の両方の機能を兼ね備える内鍋６とするために、内鍋６は、例えば、３合炊飯できるための炊飯用の鍋１４と１斤パンを焼くことができるパンケース１３の体積の大きい方の体積を持つ様に設定している。また、内鍋６は、パンケースの底面の一辺１３ｌより内鍋の底面の一辺６ｌは長く、パンケースの高さ１３ｈより内鍋の高さ６ｈは低く、炊飯用の鍋の底面の一辺１４ｌより内鍋の底面の一辺６ｌは短く、炊飯用の鍋の高さ１４ｈより内鍋の高さ６ｈは高くなるよう設定している。
【００３５】
以上のように構成された加熱調理器について、先ず、炊飯工程の各工程について図面に基づいて説明する。図３は、本発明の実施の形態１における加熱調理器の炊飯動作を示すフローチャートである。
【００３６】
先ず、図１に示すように内蓋５、おねばボックス４を外蓋１７に取り付ける。次に、図３において、内鍋６を加熱調理器本体１の保護枠７内に設置し、洗米した米と、水を適量加える。この際、炊飯のみ行う場合は、羽根１０を取り付けても、外していても構わない。しかし、炊飯工程の後に製パン工程を行う時、例えば、炊飯後の残ったご飯をそのままパンにしようと考えたときは、この炊飯工程から羽根１０をセットしておく必要がある。そして、表示部２１で表示される表示情報を確認して操作部２０を操作して炊飯をスタートさせる（Ｓ５）。
【００３７】
本発明の実施の形態１における加熱調理器の炊飯工程は、浸水工程（Ｓ１）、炊き上げ工程（Ｓ２）、沸騰維持工程（Ｓ３）および蒸らし工程（Ｓ４）の順で構成される。
【００３８】
浸水工程（Ｓ１）は、米の糊化温度よりも低温の水にお米を浸し、予め米に吸水させておくことで、以降の工程において、米の中心部まで十分に糊化させるための工程である。そのため、米の糊化が開始しない温度まで米と水の温度が上昇するように下部加熱手段９を用いて内鍋６を発熱させる。内鍋６の米全体を目的の温度で均一に維持し、内鍋６の米の吸水条件を均一に保つことが行われる。浸水工程（Ｓ１）の所定温度としては米の糊化が起こらない４０℃から６０℃以下に保持できるように、制御手段１２と鍋温度検知手段１９と下部加熱手段９を用いて所定時間まで余熱制御する（Ｓ６）。
【００３９】
浸水工程（Ｓ１）を所定時間行うと、次に炊き上げ工程（Ｓ２）を実行する。炊き上げ工程（Ｓ２）では、下部加熱手段９と側面加熱手段８で内鍋６の底面と側面を加熱し（Ｓ７）、炊飯中の米および水の温度を水の沸点まで上昇させる。この側面加熱手段８を用いることで、内鍋６側面の鍋温度の不均一を均一化することができる。そして、内鍋６内の水が沸騰したことを蓋温度検知手段２３が検知する（Ｓ８）と、沸騰維持工程（Ｓ３）に移る。
【００４０】
沸騰維持工程（Ｓ３）では、下部加熱手段９と側面加熱手段８で内鍋６の底面と側面を加熱することを維持させる。特に、内鍋６の底部からの加熱による沸騰により水が対流するため、水が米同士の間を激しく流れることにより、内鍋６の米全体に水と熱がまんべんなく供給され米の糊化が促進される（Ｓ９）。また、内鍋６内の水が沸騰し蒸発すると、蒸気の流れ３０が発生し、蒸気は米の間を通過して上昇しておねばボックス４を通り加熱調理器本体１外へ放出され、蒸気が米の間を通過することによりさらに糊化が促進される。内鍋６内の水が蒸発してほぼ無くなると内鍋６の温度が急激に上昇する。この急激な上昇により所定の温度を鍋温度検知手段１９が検知したとき、沸騰維持工程（Ｓ３）を終了し、次の蒸らし工程（Ｓ４）に移る。すなわち沸騰維持工程（Ｓ３）の時間は、浸水工程（Ｓ１）において内鍋６内に供給する水量に依存する。
【００４１】
最後に、蒸らし工程（Ｓ４）では下部加熱手段９が内鍋６の底面のご飯が乾燥したり焦げたりしない程度に内鍋６の底面を発熱させ、米の糊化を持続させる。また、側面加熱手
段８において、内鍋６を均一加熱することにより、ご飯の余分な水分を飛ばす蒸らし制御が行われる（Ｓ１０）。この蒸らし制御が完了することにより炊飯工程は終了する（Ｓ１１）。
【００４２】
このように蒸らし工程（Ｓ４）においては、米が芯まで糊化するように、米が乾燥したりこげたりしない温度で、且つ内鍋６全体すなわち米を高温の状態に保つことが重要である。
【００４３】
以上のように構成された加熱調理器について、次に、炊飯工程の各工程における加熱手段の制御状態について図面に基づいて説明する。図７（ａ）は本発明の実施の形態１における加熱調理器の炊飯工程における鍋温度検知手段における検知温度の温度変化を示す特性図、図７（ｂ）は本発明の実施の形態１における加熱調理器の炊飯工程における下部加熱手段の制御特性図、図７（ｃ）は本発明の実施の形態１における加熱調理器の炊飯工程における側面加熱手段の制御特性図である。
【００４４】
図７において、浸水工程（Ｓ１）では鍋温度検知手段１９の検知温度を６０℃以下で保持するように下部加熱手段９を制御手段１２でＤｕｔｙ制御する。こうすることで、米の糊化が始まる直前の温度で米に水を吸水させる。
【００４５】
次に炊き上げ工程（Ｓ２）では、一気に鍋温度検知手段１９の検知温度が１００℃になるまで連続的に下部加熱手段９により加熱を行うように制御手段１２で制御する。
【００４６】
沸騰維持工程（Ｓ３）では下部加熱手段９の加熱を継続させ、鍋温度検知手段１９の検知温度が１００℃を維持させる。その後、内鍋６内の水が無くなると、鍋温度検知手段１９の検知温度が１００℃を上回ってくる。この沸騰維持工程（Ｓ３）では吹き零れなどが発生しないように下部加熱手段９は制御手段１２でＤｕｔｙ制御する。そして、鍋温度検知手段１９の検知温度がある所定の設定温度になると、下部加熱手段９は制御手段１２で加熱を停止し蒸らし工程（Ｓ４）に入る。
【００４７】
この炊き上げ工程（Ｓ２）と沸騰維持工程（Ｓ３）において、側面加熱手段８により加熱を行うように制御手段１２で制御する。この側面加熱手段８の加熱により、鍋温度検知手段１９の検知温度が１００℃になるまでにかかる時間を短縮でき、また、かまどで炊かれるように、内鍋６下部のみだけでなく内鍋６側面全体を包み込むように加熱できるため、大火力を実現できるため、ご飯の食味向上にも効果的である。また、側面加熱手段８による加熱を炊き上げ工程（Ｓ２）、沸騰維持工程（Ｓ３）に使用することで、これまで、内鍋６側面の温度に温度分布が生じていたことを改善できる。つまり、内鍋６側面の温度は均一に加熱することができ、ご飯の加熱むらが解消され、炊き上がったご飯の炊きむらを抑制することができる。
【００４８】
蒸らし工程（Ｓ４）では、適度にご飯が焦げないよう、ご飯の余分な水分を飛ばすよう下部加熱手段９と側面加熱手段８は制御手段１２でＤｕｔｙ制御される。
【００４９】
図１において、炊飯時の側面加熱手段８における効果について説明する。炊飯時に、内鍋６を加熱する手段として、下部加熱手段９のみの誘導加熱では、内鍋６の底面からの熱伝導だけとなり、内鍋６の高さ方向において温度分布にバラつきが生じるため、炊き上がったご飯に炊きむらが生じてしまう。そこで、側面加熱手段８を利用することで、側面加熱手段８からの熱が内鍋６の側面に伝わり、内鍋６の高さ方向の温度分布が均一になり炊き上がったご飯に炊きむらが生じるのを防ぐことができる。
【００５０】
特に、本実施の形態の構成では、図２で示したように通常の炊飯用の鍋１４の炊飯用の
鍋の高さ１４ｈより、内鍋６における内鍋の高さ６ｈは長くなっているため、内鍋６の高さ方向において顕著に炊きむらが現れる可能性を有した構成になっている。これは、下部加熱手段９のみでは、内鍋６を熱伝導でのみ加熱することになるので、内鍋６の底面の加熱部分と、内鍋６側面上部ではどうしても温度差が生じてしまうため、ご飯にある水分を均一に蒸発させることができないため、炊きむらが生じてしまう。
【００５１】
そこで、この炊きむらを無くすために、本実施の形態では、側面加熱手段８にシーズヒーターを用いることでより炊きむらの発生を無くし、食味が向上したご飯を提供することができる。この理由は、シーズヒーターにより、保護枠７内の空気がシーズヒーターにより加熱され対流が起こり、内鍋６の側面に熱を均一に伝えることができる。また、内鍋６と金属材料で形成された保護枠７により、輻射効果が得られ、内鍋６側面をより一層効率良く加熱することができる。これをオーブン効果と呼ぶ。ここで、図１に上記の熱の移動を矢印１５で表している。そのため、下部加熱手段９だけの加熱では内鍋６を均一加熱できなかったが、このオーブン効果により、内鍋６全体が均一に加熱され、ご飯にある余分な水分を蒸発することができ、炊き上がったご飯に炊きむらが生じないようにすることができる。
【００５２】
このように、側面加熱手段８にシーズヒーターのオーブン効果と、下部加熱手段９に誘導加熱方式を使用することで、保護枠７内の雰囲気温度を均一に加熱することができ、内鍋６の底面と側面の温度を均一加熱することによって、ご飯の加熱むらが解消され、炊き上がったご飯の炊きむらが生じることがない。
【００５３】
次に、製パン工程の各工程について図面に基づいて説明する。図４は、本発明の実施の形態１における加熱調理器の製パン工程を示すフローチャート、図６は、本発明の実施の形態１における加熱調理器の製パン時の構成を示す断面図である。
【００５４】
先ず、図６に示すように内蓋５、おねばボックス４を外蓋１７から取り外す。ここで、図１に示すように炊飯時には炊飯性能を確保するために、内鍋６を密閉する内蓋５、蒸気とおねばを分け蒸気を逃がすためのおねばボックス４が必要である。しかし、製パン時には内蓋５、おねばボックス４が配置されていると、側面加熱手段８による輻射や対流の加熱が内蓋５、おねばボックス４で阻止され、内鍋６の上部開口部から被調理物であるパンに熱を加えることが出来ない。そのため、パンの上面からの焼きができず、パン上面のみ白いパンになってしまう。また、内蓋５の下方に配されて、内鍋６の上端と当接するパッキン５ａが製パン時の温度に熱的に耐えられない可能性がある。そこで、炊飯時は図１に示すように内蓋５、おねばボックス４を配置するが、製パン時は図６に示すように内蓋５、おねばボックス４を外蓋１７から外す構成となっている。次に、内鍋６を加熱調理器本体１の保護枠７内に設置し、軸１１に羽根１０を装着する。
【００５５】
次に、図４において、操作部２０で小麦粉を主とした製パン工程を選択して（Ｓ１２）、表示部２１に、例えば食パンやレーズンなどの具入りパンなどの共通のメニューあるいは小麦粉を主としたパンの個別のメニューを表示して（Ｓ１３）、操作部２０で表示部２１に表示されたメニューを選択する（Ｓ１４）。
【００５６】
次に、選択されたメニュー内容に基づき表示部２１に必要な被調理材とその量を表示して（Ｓ１５）、表示部２１に表示された被調理材である小麦粉、水、調味料を内鍋６内にセットし、イースト菌はイースト容器２に、レーズンやナッツなどの具材はディスペンサー３にセットし（Ｓ１６）、準備が完了したら、操作部２０のスタートボタンを押して、製パン動作を開始させる（Ｓ１７）。
【００５７】
本実施の形態の加熱調理器は、操作部２０で設定された設定内容に対応する所定のシー
ケンスで、鍋温度検知手段１９で検出された被調理材の温度に基づき、制御手段１２が側面加熱手段８および羽根１０を駆動制御し、ねり、ねかせ、発酵、焼き上げを組み合わせて、小麦粉を主としたパンを作製する（Ｓ１８）。
【００５８】
図６において製パン時の側面加熱手段８における効果について説明する。図６のように、製パン時に内蓋５を取り除くことで、側面加熱手段８であるシーズヒーターにより、暖められた空気が対流により熱の移動１５のように伝わっていく。そして、天面からの輻射１６により、パン上部の加熱を行うことができ、焼きあがったパンの上部が白焼きになるのを防ぎ、パン表面全体がしっかり焦げ色のついたパンを焼くことができる。
【００５９】
そして、パンが焼きあがると、取り出して、冷まして食す（Ｓ１９）。上記説明では、加熱手段として下部加熱手段９を用いずに側面加熱手段８のみを使用する説明を行ったが、加熱手段として、パンをこんがり焼き上げたい場合は、下部加熱手段９も用いて、内鍋６を加熱すると良い。なぜなら、側面加熱手段８は空気を介して内鍋６を加熱するのに対して、下部加熱手段９は直接、内鍋６を加熱するため、内鍋６を加熱する温度勾配が急になるため、パンを焼く際に内側の水分が蒸発する前に、外側のパン表面を焼き上げることができるためである。ここでは、ねり、ねかせ、発酵、焼き上げのシーケンスについての詳細な説明は省略する。
【００６０】
今回特に、炊飯用鍋とパンケースを一つにすることができたため、炊飯後、ご飯を食べ、残ったご飯を手間がほとんどかからず、ご飯から製パンを作成する、換言すれば、ご飯パンを作成することが出来る。ご飯から製パンを作成する工程について図５に基づいて説明する。図５は、本発明の実施の形態１における加熱調理器の炊飯したご飯をパンにする製パン工程を示すフローチャートである。
【００６１】
図５において、図３に基づいて説明した炊飯工程である浸水工程（Ｓ１）と、炊き上げ工程（Ｓ２）と、沸騰維持工程（Ｓ３）と、蒸らし工程（Ｓ４）を行い、ご飯パンの主原料となるご飯（以下、単にご飯と称す）を冷却する（Ｓ２３）。これは、ご飯を３０℃以下になるように冷却手段１８により冷却する。具体的には、操作部２０で冷却指示を行うことにより、制御手段１２は冷却手段１８を駆動させ、冷却手段１８から冷却風がダクト２８を介してご飯冷却風の流れ２９のように流れ内鍋６に吹き付けられる。ここで、短時間でご飯を冷却する時には、ご飯を直接、氷水や冷蔵庫で冷却しても良い。次に、冷却したご飯を計量（Ｓ２４）しておく。
【００６２】
次に、前述の図４と図６を用いて説明した製パン工程と同様の製パン工程を行う。
【００６３】
先ず、図６に示すように内蓋５、おねばボックス４を外蓋１７から取り外すと共に、内鍋６を加熱調理器本体１の保護枠７内に設置し、軸１１に羽根１０を装着する。次に、図４において、操作部２０でご飯を主とした製パン工程を選択して（Ｓ１２）、表示部２１に、例えば食パンやレーズンなどの具入りパンなどの共通のメニューあるいはご飯を主としたパンの個別のメニューを表示して（Ｓ１３）、操作部２０で表示部２１に表示されたメニューを選択する（Ｓ１４）。
【００６４】
次に、選択されたメニュー内容に基づき表示部２１に必要な被調理材とその量を表示して（Ｓ１５）、表示部２１に表示された被調理材である冷却したご飯、小麦粉、水、調味料を内鍋６内にセットし、イースト菌はイースト容器２に、レーズンやナッツなどの具材はディスペンサー３にセットし（Ｓ１６）、準備が完了したら、操作部２０のスタートボタンを押して、製パン動作を開始させる（Ｓ１７）。
【００６５】
この機器は、操作部２０で設定された設定内容に対応する所定のシーケンスで、鍋温度
検知手段１９で検出された被調理材の温度に基づき、側面加熱手段８および羽根１０を駆動制御し、ねり、ねかせ、発酵、焼き上げを組み合わせて、ご飯を主としたパンを作製する（Ｓ１８）。そして、パンが焼きあがると、取り出して、冷まして食す（Ｓ１９）。
【００６６】
以上のように本発明の本実施の形態によれば、炊飯機能と製パン機能の両方の機能を兼ね備え、使い勝手をより向上し、特に、下部加熱手段９と側面加熱手段８によって、炊飯時において、内鍋６の底面と側面の温度を均一加熱することが出来、内鍋６に収納されている米を均一に加熱することとなり、米から均等に水分が蒸発するため、ご飯の加熱むらが解消され、炊き上がったご飯に炊きむらが生じないものである。
【産業上の利用可能性】
【００６７】
以上のように、本発明の加熱調理器は、炊き上がったご飯の炊きむらを防ぐことができ、ご飯の美味しさを向上させることができるため、家庭用または業務用の加熱調理器として有用である。
【符号の説明】
【００６８】
１  加熱調理器本体
６  内鍋
７  保護枠
８  側面加熱手段
９  下部加熱手段
１２  制御手段
１７  外蓋
【図１】
2014113229.tif 000003
【図２】
2014113229.tif 000004
【図３】
2014113229.tif 000005
【図４】
2014113229.tif 000006
【図５】
2014113229.tif 000007
【図６】
2014113229.tif 000008
【図７】
2014113229.tif 000009
【図８】
2014113229.tif 000010